(57)【要約】【課題】小形かつコンパクトで、各種大きさの荷物をシートベルトを介して自動車のシート上に拘束状態に固定する。【解決手段】移動防止具１は、シートベルト１２の上部側肩掛け部１２ａと、下部側の腰骨支持部１２ｂ間に配置される連結片２，３と、連結片の上縁および下縁に連結されるとともに、係止具７により連結片に離接可能であって、連結片との間に肩掛け部および腰骨支持部をそれぞれ狭持状態に連結する上下１対の狭持片５，６とを備えた。【選択図】      図２
0003134940.tif 000002
【実用新案登録請求の範囲】
【請求項１】
自動車用シートのシートバックに三点式シートベルトを介して荷物を保持するための荷物の移動防止具において、
前記移動防止具は、前記シートベルトの上部側肩掛け部と、下部側腰骨支持部間に配置される連結片と、連結片の上縁および下縁に連結されるとともに、係止具により前記連結片に離接可能であって、連結片との間に前記肩掛け部および腰骨支持部をそれぞれ狭持状態に連結する上下１対の狭持片とを備えたことを特徴とするシートベルトを利用した荷物の移動防止具。
【請求項２】
前記連結片は、平ベルト片状の上部側連結片と下部側連結片に２分割されているとともに、枢支部材を介して互いその重合部分が回動可能に連結されていることを特徴とする請求項１記載のシートベルトを利用した荷物の移動防止具。
【請求項３】
前記枢支部材は、リベットにより形成されていることを特徴とする請求項２記載のシートベルトを利用した荷物の移動防止具。
【請求項４】
前記枢支部材は、ホック具により形成されていることを特徴とする請求項２記載のシートベルトを利用した荷物の移動防止具。
【請求項５】
前記係止具は、ホック具により形成されていることを特徴とする請求項１乃至４のいずれか１項記載のシートベルトを利用した荷物の移動防止具。
【請求項６】
前記係止具は、面ファスナーにより形成されていることを特徴とする請求項１乃至４のいずれか１項記載のシートベルトを利用した荷物の移動防止具。
【考案の詳細な説明】
【技術分野】
【０００１】
本考案はシートベルトを利用した荷物の移動防止具に関する。
【背景技術】
【０００２】
例えば乗用車の助手席側シートのシートバックに段ボール箱、鞄などの荷物を立て掛けて輸送するときに、急停止などによる移動慣性によって、置いた荷物がシートの前方に飛出し、フロア上に落下したり、グローブボックスに衝突することがあり、これら荷物が割れ物や、水物の場合不都合が生ずるほか、書類封筒などの場合などは、中身がフロア上に散乱して、後の整理が面倒となる。
【０００３】
ところで、慣性による飛出しを防止するための安全用具として、シートベルトが周知であり、現在では乗員はシートベルトの着用を義務付けられているが、これは乗員の身体を拘束することにより衝突安全性を確保するものであり、荷物の固定にはそのままでは適用できない。このため、下記特許文献１に示す移動防止具が提案されている。
【０００４】
この移動防止具は三点式シートベルトを座席にセットした状態でその上縁をシートベルトの胸部支持片側に着脱可能に折返し装着される上部本体布と、下縁をシートベルトの腰骨支持片側に着脱可能に折返し装着される下部本体布間を左右１対の連結紐で連結し、下部本体布と連結紐間にネット状の収納部を設けたものである。
【特許文献１】特開２００７−１０６２４９号公報
【考案の開示】
【考案が解決しようとする課題】
【０００５】
しかし、この構造によれば、シートベルトに拘束される荷物が収納部の面積に限定されるため、大形の荷物類の拘束ができなかった。また構造的にも収納部を形成した分、複雑化かつ大形化し、非使用時における防止具そのものの格納も面倒であった。
【０００６】
そこで本考案は、以上の課題を解決するものであり、その目的とするところは、小形でかつコンパクトであり、各種大きさの荷物をシートベルトを介してシート上に拘束状態に保持できるようにしたシートベルトを利用した荷物類の移動防止具を提供するものである。
【課題を解決するための手段】
【０００７】
前記目的を達成するため、本考案は、図の実施形態にも示すように、自動車用シートのシートバックに三点式シートベルトを介して荷物を保持するための荷物の移動防止具１において、前記移動防止具１は、前記シートベルト１２の上部側肩掛け部１２ａと、下部側腰骨支持部１２ｂ間に配置される連結片２，３と、連結片２，３の上縁および下縁に連結されるとともに、係止具７により前記連結片２，３に離接可能であって、連結片２，３との間に前記肩掛け部１２ａおよび腰骨支持部１２ｂをそれぞれ狭持状態に連結する上下１対の狭持片５，６とを備えたことを特徴としている。
【０００８】
前記連結片２，３は、平ベルト片状の上部側連結片２と下部側連結片３に２分割されているとともに、枢支部材４を介して互いその重合部分が回動可能に連結されていることを特徴としている。
【０００９】
前記枢支部材４は、リベット又はホック具により形成させることができる。
【００１０】
前記係止具７は、ホック具又は面ファスナーにより形成させることができる。
【考案の効果】
【００１１】
本考案によれば、構造が簡単で、小形化でき、かつ特に収納部を設けていないため、固定する荷物の大きさは、収納部面積に限定されることがなく、大形の荷物の拘束に好適であり、不要時の格納場所もとらない。
【００１２】
本考案を構成する連結片２，３及び狭持片５，６を平ベルト片状の部材により構成することにより、荷物を面接触の安定した状態に保持させることができる。また、不使用時には、短ベルト状にコンパクトに折り畳んで収納させることができる。
【００１３】
また、連結片２，３を、平ベルト片状の上部側連結片２と下部側連結片３に２分割させることにより、シートベルトの特に肩掛け部の傾斜に適合できるとともに、不要時には折畳んで格納できるため、さらにコンパクト化できる。
【考案を実施するための最良の形態】
【００１４】
以下、本考案の最良の実施形態につき、添付図面を参照して説明する。図１は移動防止具単体を示し、図２は同移動防止具を用いてシートベルトを介して荷物をシートに拘束状態に保持した場合を示している。
【００１５】
図１（ａ）〜（ｄ）において、移動防止具１は、幅Ｗが約７ｃｍ、全長Ｌが約３０ｃｍ程度の柔軟性のある合成皮革などの平ベルト片状部材から構成された扁平長方形をなすものであり、連結片を構成する長片よりなる上部側連結片２と、短片よりなる下部側連結片３の重ね合せ部を、リベットよりなる枢支部材４を介して互いに回動可能に連結したものである。枢支部材４をホック具により形成することにより、上部側連結片２と下部側連結片３とを、着脱自在に構成することも可能である。
【００１６】
連結片２，３を構成する各片の上縁部および下縁部には狭持片５，６が逢着され、この逢着部分を装飾布８によってカバーしている。狭持片５，６は、連結片２，３と同幅の平ベルト片状部材により形成されている。
【００１７】
各狭持片５，６は、連結片２，３との間で後述するシートベルト１２を挟み込むものであり、特に（ｂ）に示すように、それぞれの対向面に固定されたホックよりなる係止具７の止め外しにより、連結片２，３に対して離接可能に接合している。係止具７は、面ファスナーなどよりなる係止具により構成することもできる。
【００１８】
また移動防止具１の不使用時には特に（ｄ）に示すように、上部側連結片２の下面に下部側連結片３を折畳むことにより、短冊形をなして上部側連結片２の長さまで短縮され、さらに長さ寸法が小さくなる。これを助手席前方に設けた図示しないグローブボックス内に収納しておき、荷物を固定する際にはこれを取出してシートベルト１２に取付けることにより、移動防止具１として使用が可能となっている。
【００１９】
図２において、シート１０は、シートクッション１０ａとシートバック１０ｂおよびシートバック１０ｂ上に配置されるヘッドレスト１０ｃとからなっている。
【００２０】
シートクッション１０ａの一側部にはバックル１１が配置され、このバックル１１に三点式シートベルト１２に設けた係合具１４が着脱可能に装着される。
【００２１】
三点式シートベルト１２は、その上端を図示しないセンターピラーに設けたリトラクタに巻取り格納される肩掛け部１２ａと、下端を同じく図示しないセンターピラーの下部に固定され、かつ係合具１４によって下部側に区画される腰骨支持部１２ｂとからなっている。
【００２２】
以上の構成において、段ボール箱や鞄などの荷物Ｗをシートバック１０ｂに立て掛けた状態で肩掛け部部１２ａおよび腰骨支持部１２ｂで構成される三角形状のループ内に荷物Ｗを拘束しようとしても、単にシートベルト１２をバックル１１に装着した状態では、腰骨支持部１２ｂが下過ぎること、および肩掛け部１２ａが荷物Ｗに斜めに交叉することによって、容易にシートベルト１２からずれて脱落しやすいものとなる。
【００２３】
そこで、図２に示すように、荷物Ｗをシートバック１０ｂに立て掛け、シートベルト１２を荷物Ｗの前面に回してその係合具１４をバックル１１に固定した後、荷物Ｗの前面で移動防止具１の上側狭持片６を肩掛け部１２ａにホック止めするとともに、下側狭持片５を腰骨支持部１２ｂにホック止めすることによって、両者は互いに矢印に示すように引寄せられた状態となり、シートベルト１２を介して荷物Ｗを拘束状態に固定することになる。なお、肩掛け部１２ａの傾斜に応じて連結片２，３の各片同士はリベット枢支部材４を中心に傾いた状態に取付けられる。
【００２４】
以上の移動防止具１が適用される荷物Ｗの大きさ、寸法などは、シートベルト１２そのものがリトラクタから引出すことによって寸法追随性があるため、扁平な書類封筒や鞄などの小物類から、図示するごとく、シート１０上に搭載可能な大きさの段ボール箱などまで種々の大きさに適合できる。
【００２５】
なお、本実施形態では助手席側シート１０に設けた３点式シートベルト１２に適用した場合を示したが、後部シートに設けられる、右または左の三点式シートベルトに適用することも可能であることも勿論である。
【図面の簡単な説明】
【００２６】
【図１】（ａ）〜（ｄ）は、本考案に係る移動防止具の斜視図である。
【図２】シートに荷物を搭載し、移動防止具を取付けた状態の斜視図である。
【符号の説明】
【００２７】
１  移動防止具
２，３  連結片（２  上部側連結片、３  下部側連結片）
４  枢支部材
５，６  狭持片
７  係止具
１０  シート
１０ｂ  シートバック
１１  バックル
１２  シートベルト
１２ａ  肩掛け部
１２ｂ  腰骨支持部
１４  係合具
Ｗ  荷物
【図１】
0003134940.tif 000003
【図２】
0003134940.tif 000004